(57)【要約】      （修正有）【課題】IｍがIｂｌｅｅｄより小さいときでさえ、比率が制御信号に指数関数的に関連する電流対を発生させる。【解決手段】対の比率が制御信号に指数関数的に関係する電流対Ip、Imを発生する装置および方法であって、ここにIpまたはImのいずれかは最小値より大きいかまたは最大値より小さい。装置はImまたはIpの値を感知するために使用される帰還修正回路を含む。感知されたImまたはIpの値が最小値より小さいかまたは最大値より大きいとき、修正回路はブースト電流Iboostを供給する。Iboostは好ましくは所望値およびIpまたはImの差に比例するよう維持される。【選択図】図４
2010136377.tif 000002
【特許請求の範囲】
【請求項１】
対の比率が制御信号に指数関数的に関係する電流対Ip 、Imを発生し、IpおよびImの１つが最小値よりも大きく、かつ最大値よりも小さい装置において、 制御信号およびバイアス電流Ibiasの関数として電流対Im 、Ipを発生し、Ibiasがブースト電流Iboostの関数であり、IpおよびImの合計がIbiasに等しい差動増幅器と、 差動増幅器に接続され、帰還回路がImおよびIpの１つを感知し、ImおよびIpの１つが最小値よりも小さくかつ最大値よりも大きいとき、ブースト電流Iboostを発生する修正帰還回路とを含んでいる装置。
【請求項２】
Iboostが最小値および最大値の１つとImおよびIpの１つとの間の差に比例する請求項１の装置。
【請求項３】
Iboostが最小値およびIm間の差に比例する請求項１の装置。
【請求項４】
IbiasがIboostおよび固定電流Ifixedの合計に等しい請求項2の装置。
【請求項５】
差動増幅器が電流Ifixed を発生する電流源を含む請求項4の装置。
【請求項６】
差動増幅器がさらに一対のBJTを含み、各BJTがベースを含み、制御信号がBJTのベースに接続される請求項5の装置。
【請求項７】
さらに差動増幅器に作動的に接続された一対のFET電流ミラーを含んでいる請求項6の装置。
【請求項８】
Iboostが最小値IbleedおよびIm間の差に比例し、帰還回路がIbleedに等しい電流を発生することが可能な電流源を含む請求項7の装置。
【請求項９】
帰還回路がさらに対のFET電流ミラーおよび電流源と作動的に接続された少なくとも１つのFETを含む請求項8の装置。
【請求項１０】
帰還回路の少なくとも１つのFETがImを感知する請求項9の装置。
【請求項１１】
対の比率が制御信号に指数関数的に関係する電流対Ip 、Imを発生し、IpおよびImの１つが最小値よりも大きく、かつ最大値よりも小さい装置において、 制御信号およびバイアス電流Ibiasの関数として電流対Im 、Ipを発生し、Ibiasがブースト電流Iboostの関数であり、IpおよびImの合計がIbiasに等しい差動増幅器手段と、 差動増幅器手段に接続され、帰還回路手段がImおよびIpの１つを感知し、ImおよびIpの１つが最小値よりも小さくかつ最大値よりも大きいとき、ブースト電流Iboostを発生する修正帰還回路手段とを含んでいる装置。
【請求項１２】
Iboostが最小値および最大値の１つとImおよびIpの１つとの間の差に比例する請求項11の装置。
【請求項１３】
Iboostが最小値およびIm間の差に比例する請求項11の装置。
【請求項１４】
IbiasがIboostおよび固定電流Ifixedの合計に等しい請求項12の装置。
【請求項１５】
差動増幅器が電流Ifixedを発生する電流源を含む請求項14の装置。
【請求項１６】
差動増幅器がさらに一対のBJTを含み、各BJTがベースを含み、制御信号がBJTのベースに接続される請求項15の装置。
【請求項１７】
さらに差動増幅器に作動的に接続された一対のFET電流ミラーを含んでいる請求項16の装置。
【請求項１８】
Iboostが最小値IbleedおよびIm間の差に比例し、帰還回路がIbleedに等しい電流を発生することが可能な電流源を含む請求項17の装置。
【請求項１９】
帰還回路がさらに対のFET電流ミラーおよび電流源と作動的に接続された少なくとも１つのFETを含む請求項18の装置。
【請求項２０】
帰還回路の少なくとも１つのFETがImを感知する請求項19の装置。
【請求項２１】
制御信号が電圧制御信号である請求項20の装置。
【請求項２２】
Iboostが一定で、IbleedおよびImの差のｋ倍に等しい請求項20の装置。
【請求項２３】
定数kが略100である請求項20の装置。
【請求項２４】
対の比率が制御信号に指数関数的に関係する電流対Ip 、Imを発生し、IpおよびImの１つが最小値よりも大きく、かつ最大値よりも小さい方法において、 ａ．制御信号を入力し、 ｂ．制御信号およびバイアス電流Ibiasの関数として電流対Im 、Ipを発生し、Ibiasがブースト電流Iboostの関数であり、IpおよびImの合計はIbiasに等しく、 ｃ．ImおよびIpの1つを感知し、 ｄ．ImおよびIpの１つが最小値よりも小さくかつ最大値よりも大きいとき、ブースト電流Iboostを発生するステップを含む方法。
【請求項２５】
Iboostが最小値および最大値の１つとImおよびIpの１つとの間の差に比例する請求項24の方法。
【請求項２６】
ステップdのIboostが最小値およびIm間の差に比例する請求項24の方法。
【請求項２７】
IbiasがIboostおよび固定電流Ifixedの合計に等しい請求項26の方法。
【請求項２８】
制御信号が電圧制御信号である請求項27の方法。
【請求項２９】
一定で、IbleedおよびImの差のｋ倍に等しいIboostを設定することを含む請求項28の方法。
【請求項３０】
定数ｋが略100であり、 ａ．Imを最小値Ibleedと比較し、 ｂ．ImがIbleedに等しいか大きいときIboostをゼロに設定し、 ｃ．ImがIbleedよりも小さいときIbleedとImの差に比例したIboostを設定するステップを含む請求項29の方法。
【発明の詳細な説明】
【発明の背景】
【０００１】
I．発明の分野 
この発明は指数関数電流発生器および方法に係り、特に可変利得増幅器(VGA)に使用される発生器に関する。
【０００２】
II．関連技術の記述 
引用された継続中かつ関連する出願で注目されるように、可変利得増幅器(VGA)は受信された信号および伝送されるべき信号を増幅するのに使われるかもしれない。VGAの利得は、VGAの利得がある応用において制御信号に関して理想的に指数関数的（または“dBに直線”）である制御信号により決定される。VGAは入力段階および入力段階に接続された1つまたはそれ以上の電流増幅器段階を有する。入力段階は電圧信号を受けて、電圧信号を電流信号に変換して、電流信号を増幅する。電流増幅器段階はさらに入力段階により発生された電流信号を増幅する。
【０００３】
理想的には、それぞれの電流増幅器の利得は制御信号に指数関数的に関連する。制御信号は例えば制御電流、デジタル制御、または電圧信号を含む任意の型の制御信号であるかもしれない。出願継続中の関連する出願で、電圧制御信号Vcontrolは、それぞれの電流増幅器の利得を決定または制御するために採用される。また、出願継続中の出願で説明されるように、それぞれの電流増幅器段階はVcontrolを受け一対の電流信号ImおよびIpを発生する指数関数電流発生器を採用し、ここにIp/Imの比率は制御信号Vcontrolに関して指数関数的である。一対のIm 、Ipは、継続中の出願で説明されるように電流増幅器の利得を制御するのに使用される。
【０００４】
上で述べたように、電流増幅器段階はVGAの入力段階に接続される。入力段階を電流増幅器段階に接続して構成されるある回路ダイナミクス力学のために、Im がある最小電流値("Ibleed")以下に落ちないことが望ましい。関連しかつ組込まれた継続中の出願で説明されるように、Imがある最小の電流値以下に落ちるのを防ぐために、Imと並列に固定電流Ibleedを生成するよう電流源が含まれる。ImにIbleedを加えることにより、関連する出願で説明されるように、電流増幅器のトランスリニアループの入力段階の最小テール電流を確保する。
【０００５】
都合の悪いことに、ImにIbleedを加えることは、指数関数電流発生器によって生成される対の電流の比率をIp/（Im＋Ibleed）に比例するように変化する。この比率は不利にも制御信号Vcontrolに指数関数的に関連しない。これは比率が大きくなり、Imが対応して小さくなる、すなわち、ImがIbleedに接近するとき特に顕著である。都合の悪いことに、これは発生器を採用する電流増幅器の利得を歪ませ、Vcontrolに指数関数的に関連するよりはより直線的に関係するようになる。この歪みは、増幅器がVGAの一部として使用されるとき、特に符号分割多元接続（CDMA)信号を発生する送信機に使用されるとき、パワー制御問題を生じさせ得る。したがって、ImがIbleedより小さいときでさえ、比率が制御信号に指数関数的に関連する電流対を発生させる改良された指数関数電流発生器についての必要性がある。
【発明の概要】
【０００６】
発明は対の比率が制御信号に指数関数的に関係する電流対Ip 、Imを発生する装置を含む。本発明の一実施例において、制御信号に指数関数的に関係したIp/Imの比率を保持する間IpまたはImのいずれかの最小または最大値を制御するために、ブースト電流Iboostが固定電流Ifixedに加えられる。特別な実施例において、Imが最小値Ibleedより大きいか等しくなるようにIboostが加えられる。装置は差動増幅器および修正帰還回路を含む。
【０００７】
一実施例では、差動増幅器は制御信号に基づいた電流対Im 、Ip 、固定電流Ifixedおよびブースト電流Iboostを発生する。修正帰還回路は差動増幅器に接続され、Imのレベルを感知する。実施例によれば、修正帰還回路はImが Ibleedより小さいとき、Im がIbleedより大きくなるように、そして依然としてIp/Imの比率が制御信号に指数関数的に関係づけられるようにブースト電流Iboostを発生する。
【０００８】
好ましい実施例では、Im がIbleedより小さいとき、IboostはIbleedおよびIm間の差に比例し、そうでないときIboostはゼロである。差動増幅器が固定電流Ifixedを発生する電流源を含んでもよい。加えて差動増幅器がさらに一対のBJTを含んでもよく、そこで制御信号が電流対Im 、Ipを発生するようにBJTのベースと接続される。装置はまた差動増幅器と接続される一対のFET電流ミラーを含んでもよい。好ましい実施例では、帰還回路は電流Ibleedを発生する電流源を含んでもよい。帰還回路はまた、対のFET電流ミラーおよび電流源と接続された少なくとも１つのFETを含んでもよい。この実施例では、帰還回路の少なくとも１つのFETがIm を感知するかもしれない。
【０００９】
本発明はまた、電流対の比率が制御信号に指数関数的に関係する電流対Ip 、Imを発生し、Im またはIpが理想的に最小値よりも大きく、かつ最大値よりも小さい方法を含む。方法は、制御信号を入力し、少なくとも制御信号とブースト電流Iboostの関数として電流対Ip 、Imを発生するステップを含んでもよい。方法はまたIm またはIpのレベルを感知し、Im またはIpが最小値より小さいか、最大値より大きいとき、ブースト電流Iboostを発生するステップを含んでもよい。
【００１０】
好ましい実施例において、ImがIbleedより小さいとき、IboostはIbleedおよびIm間の差に比例し、そうでないときIboostはゼロであるようにしてもよい。さらに、ブースト電流Iboostを発生するステップは（１）ImをIbleedと比較し、（２）ImがIbleedより大きいか等しいときIboostをゼロに設定し、（３）ImがIbleedより小さいとき、IboostをIbleedおよびImの差に比例するように設定するステップを含んでもよい。
【００１１】
本発明の特徴、目的、および利点は、同様な参照符号が対応しているものと同一である図面と関連して取られるとき、以下に示された詳細な記述でより明らかになるであろう。
【００１２】
好ましい実施例の詳細な記述 図1は関連しかつ出願継続中の出願で説明される指数関数発生器を示し、今後指数関数発生器360として引用される。図１に示されるように、および関連する出願で説明されるように、発生器360は主として差動増幅器465を包含する。増幅器465は、この場合に電圧制御信号Vcontrolが入力ポート130に供給されて、制御信号の差値の関数として出力ポート358に電流対Im 、Ipを発生する。図１に示されるように、Vcontrolはバイポーラ接続トランジスタ（BJT）461と462のベースに接続される。BJT461および462のコレクタ電流の比率は、BJTの知られている指数関数入力電圧対出力電流関係により、差のベース電圧（Vcontrol）に指数関数的関係である。
【００１３】
一対のFET電流ミラー474が一対のBJT 461、462により発生されるコレクタ電流をコピーするために使用される。特に、コレクタ電流IpおよびImは出力ポート358で発生器360に接続された装置に供給される。図1に示された実施例において、電流ミラー474は4個の電界効果トランジスタ(FET)464、466、468、および470を含んでいる。図１に示されるように、発生器360はまた、電流源472を含む。電流源472は固定電流Ifixedを発生する。IpおよびImの合計がIfixedに等しいことが注目される。制御信号が大きくされるとき(発生器360が採用される電流増幅器の大きい利得のため)、Ip が大きくなってIfixedに接近し、一方Imは小さくなってゼロに接近する。同様に、制御信号が小さくされると(電流増幅器の小さい利得のため)、Im は大きくなってIfixedに接近し、Ipは小さくなってゼロに接近する。
【００１４】
上で述べたように、発生器360のある応用において、IpまたはImの最大または、最小値を制御することが望ましい。例えば、制御信号が大きいとき(電流増幅器の大きい利得のため)、Imがある最小値以下に落ちることを防ぐことが好ましい。従って、Ifixed は大きい値に設定されるかもしれない。しかしながら、この解決策は発生器360のエネルギー消費を増加させるだろう。理想的には、制御信号値(または、電流増幅器利得)の控え目な範囲のため、IpおよびImの最小または最大値を提供している間、発生器360のエネルギー消費を抑えるためにIfixedはできるだけ小さく選択されるべきである。継続中および関連した出願により表わされた出願において、Ifixedの選択された値はスケーリングの後およそ10mAである。
【００１５】
関連する出願において上述したように、Imは最小値Ibleed以下に決して落ちないのが望ましい。できるだけ小さいIfixedを保っている間ImがIbleed以下に落ちるのを防ぐため、Ibleedの値が発生器360によってImの発生の後Imに加えられる。これは電流増幅器に供給される電流対の比率を不利に変える。特に、ImにIbleedの加算は比率をIp/（Im＋Ibleed）に不利に変化する。ImがIbleedより非常に大きいなら、その結果は無視できる。しかしImがIbleedに近付くとき、Ibleedの付加の結果はより著しくて、比率はもはや制御信号Vcontrol に指数関数的に関連されない。これは比率が最大値に近付き、Imが小さくなるとき特に顕著である。歪みまたは偏倚は発生器360を利用することができるある応用において重要であるかもしれない。例えば、発生器360がCDMA信号を発生させるために使用される送信機の可変利得増幅器(VGA)の一部として使用されるとき、この歪みは重要になる。当業者により知られているように、CDMA信号のパワー制御はCDMA信号間の干渉を防ぐことにおいて臨界的である。
【００１６】
発明は、IpまたはImのいずれかが理想的にある最小値より大きく、最大値より小さく、Im およびIpの合計がバイアス電流Ibiasに等しい制御信号の関数として、電流対Ip 、Imを発生する改良された装置および方法を提供する。バイアス電流は固定電流Ifixedおよびブースト電流Iboostの合計に等しい。本発明による改良された方法の一実施例が図２に引用される。その方法は少なくとも4ステップを含む連続した過程である。図２に示されるように、ステップ205において、ImまたはIpのどちらかの値が感知または決定される。それから方法はステップ210に進み、そこでImまたはIpのいずれかが所望の最小値または最大値と比較される。ImまたはIpの値が所望の最小値より大きいかまたは最大値より小さいとき、Ibiasの変化は必要ない。この場合、方法はステップ214に進み、そこでIboostがゼロに等しく設定される。
【００１７】
ステップ210において、ImまたはIpがある最小値より小さいかまたは最大値より大きく決定されるとき、全体の電流は、ImまたはIpが所望の最小値より大きくまたは最大値より小さくされるように、増加または減少されねばならない。電流の加算または減算がIp/Imの比率に影響しないことに注目すべきである。それ故、ステップ210でImまたはIpがある最小値より小さいかまたは最大値より大きく決定されるとき、ブースト電流IboostはImまたはIpの値（差値）および利得kの所望の最小値または最大値倍間の差に等しく設定される。好ましい実施例では、kは100とほとんど等しい。次に、方法がステップ216に進んで、そこでIbiasがIfixed＋Iboostの値に等しく設定される。上で注目したように、Ifixedはその値が公称の比率に選択されかつIpおよびImの値である固定電流である。それから方法はステップ218へ進み、そこでIpおよびImが制御信号とIbiasの関数として発生される。この技術の使用で、Ifixedはエネルギーを保全する低い値に設定され、必要なときに押し上げられる。
【００１８】
本発明の方法の適用に関する例は継続中かつ関連する出願で提示されたシステムを参照して記述される。上述したように、関連する出願で、Im が最小値Ibleed以下に決して落ちないことが望ましい（Ibleedは一実施例において1mAに略等しい)。上の方法を使用して、ステップ205でImの値が感知または決定される。それからステップ210で、ImはIbleedと比較されるであろう。ImがIbleedより大きく、または等しくなるように決定されるとき、電流は加えられることなく、方法はステップ214に進み、そこでIboostはゼロに設定されるであろう。ステップ210でImが Ibleedより小さくなるように決定されるとき、方法はステップ212に進み、そこでIboostはk＊（Ibleed−Im）（差値）に等しく設定されるであろう。そしてステップ216で、IbiasはIfixed＋Iboostに設定されるであろう（ここにIfixedはこの実施例においてスケーリングの後、略10mAである）。かくして、上述の方法は、電流対Ip 、Imを生成するため発生器360を修正するように使用することができ、ここにImは制御信号（この実施例におけるVcontrol）に対する電流対の指数関数比率が維持される間、常にIbleedより大きい。図２に示された方法を実行することができる本発明の好ましい装置400のブロックダイアグラムは図３を参照して以下に記述される。
【００１９】
図３に示されるように、装置400は電流ミラー回路474、差動増幅器465および修正帰還回路500を含む。電流ミラー回路474および差動増幅器465は図１を参照して上述されたそれらと同様である。上で注目したように、装置400はリンク520を通して差動増幅器465と接続される修正帰還回路500を含んでいる。加えて、修正帰還回路500は、値ImまたはIpを感知またはサンプルするために電流ミラー回路474と接続されている。修正帰還回路500は上述されたように、電流Iboostを発生し、リンク520を通して差動増幅器465へIboostを供給する。差動増幅器465は制御信号の関数として電流対Ip 、Im 、上述されたようにIfixedおよびIboostを発生する。図4は出願継続中かつ関連する出願で発生器360として使用のため、本発明による発生器600の実施例を表わす。
【００２０】
図４に示されるように、電流ミラー回路474、および差動増幅器465は上で図１に関して説明されたそれと同じである。この例示的実施例では、修正帰還回路610は4つのFET 512、508、502、504および電流源506を含んでいる。電流源506は電流Ibleedを発生する。上述されたように帰還修正回路500と同様に、帰還回路610は電流Ibiasを発生するためIfixedに有効に加えられる電流Iboost520を発生する。エレクトロニクス技術に普通に熟練した者が注目するように、この帰還回路610においてImがIbleedより大きくなると感知されたとき、Iboostがゼロに分路される。ImがIbleed以下で感知されるとき、帰還回路610はｋ＊（Ibleed−Im）に等しい電流Iboostを発生し、ここにｋは帰還回路610の利得であり、またFET 502、504の機能である。上述したように、好ましい実施例において、kは略100に等しい。したがって、発生器600は、継続中かつ関連する出願で見られる発生器360または861の代用として使用されるかもしれない。
【００２１】
特に、指数関数発生器600は継続中の関連出願で示され、説明された増幅器160Aまたは160Bなどの電流増幅器の一部であるかもしれない。この実施例における指数関数発生器600の機能は図５を参照して簡単に記述される。図５に示されるように、電流増幅器160Aはダーリントン差動増幅器510、カスコード差動増幅器520、一対のバイポーラ電流ミラー860、および指数関数発生器600を含んでいる。ダーリントン差動増幅器510、カスコード差動増幅器520、および一対のバイポーラ電流ミラー860は継続中の関連出願で詳細に説明される。
【００２２】
簡潔に述べれば、信号電流190が、制御信号の関数として、特に電圧制御信号Vcontrol130のような増幅された信号電流180を発生するために、電流増幅器160Aによって増幅される。指数関数発生器600は出力358で電流対Ip 、Imを発生する。注意されるように、Ip/Imの比率は理想的にVcontrol指数関数的に関係される。電流対Ip 、Imは継続中かつ関連する出願で説明されるように、増幅器510、520の利得を制御するのに使用される。
【００２３】
電流増幅器160AがVGAの一部であってもよいことに注意すべきである。さらに、VGAはモバイルトランシーバーユニットの送信または受信回路に使用されてもよい。加えて、指数関数発生器400は、dB利得制御において、直線を提供するのに望ましいかまたは必要である他の多くの応用に使用されてもよい。例えば、指数関数発生器400は、継続中の関連する出願で説明される発生器360を取り替えるために使用されてもよい。
【００２４】
好ましい実施例の前の記述は当業者が作り、または使用することを可能にするように提供された。これらの実施例への様々な変更は当業者に容易に明らかであり、ここに定義される基本的な原理は発明の才能を使用することなく他の実施例に適用されるかもしれない。したがって、本発明はここに示される実施例に制限されることを意図されなく、ここに明らかにされた原理と新規な特徴と一致した最も広い範囲に従うべきである。
【図面の簡単な説明】
【００２５】
【図１】関連しかつ継続中の明細書に記述される指数関数発生器における概要図である。
【図２】発明による電流対を発生させるための方法のフローチャートである。
【図３】本発明に従って作られた改良された指数関数発生器のブロックダイアグラムである。
【図４】本発明に従って改良された指数関数発生器の概要図である。
【図５】図４に示される指数関数発生器を使用のため適用された電流増幅器のブロックダイアグラムである。
【符号の説明】
【００２６】
130…入力ポート、160A…電流増幅器、180…信号電流、190…信号電流、358…出力ポート、360…指数関数発生器、400…指数関数発生器、461…バイポーラ接続トランジスタ、464．466…電界効果トランジスタ、465…差動増幅器、472…電流源、474…電流ミラー回路、500…修正帰還回路、506…電流源、510…ダーリントン差動増幅器、520…カスコード差動増幅器、600…指数関数発生器、610…修正帰還回路、860…バイポーラ電流ミラー
【図１】
2010136377.tif 000003
【図２】
2010136377.tif 000004
【図３】
2010136377.tif 000005
【図４】
2010136377.tif 000006
【図５】
2010136377.tif 000007
【手続補正書】
【提出日】平成22年1月4日(2010.1.4)
【手続補正１】
【補正対象書類名】特許請求の範囲
【補正対象項目名】全文
【補正方法】変更
【補正の内容】
【特許請求の範囲】
【請求項１】
対の比率が制御信号に指数関数的に関係する電流対Ip 、Imを発生し、IpおよびImの１つが所望の最小値よりも大きく、かつ所望の最大値よりも小さい装置において、
制御信号およびバイアス電流Ibiasの関数として電流対Im 、Ipを発生し、バイアス電流Ibiasがブースト電流Iboostの関数であり、IpおよびImの合計がバイアス電流Ibiasに等しい差動増幅器と、
差動増幅器に接続され、帰還回路がImおよびIpの１つを感知し、ImおよびIpの１つが所望の最小値よりも小さくかつ所望の最大値よりも大きいとき、ブースト電流Iboostを発生する修正帰還回路とを含んでいる装置。
【請求項２】
ブースト電流Iboostが所望の最小値および所望の最大値の１つとImおよびIpの１つとの間の差に比例する請求項１の装置。
【請求項３】
ブースト電流Iboostが所望の最小値およびIm間の差に比例する請求項１の装置。
【請求項４】
バイアス電流Ibiasがブースト電流Iboostおよび固定電流Ifixedの合計に等しい請求項２の装置。
【請求項５】
差動増幅器が固定電流Ifixed を発生する電流源を含む請求項４の装置。
【請求項６】
差動増幅器がさらに一対のBJTを含み、各BJTがベースを含み、制御信号がBJTのベースに接続される請求項５の装置。
【請求項７】
さらに差動増幅器に作動的に接続された一対のFET電流ミラーを含んでいる請求項６の装置。
【請求項８】
ブースト電流Iboostが所望の最小電流値IbleedおよびIm間の差に比例し、帰還回路が所望の最小電流値Ibleedに等しい電流を発生することが可能な電流源を含む請求項７の装置。
【請求項９】
帰還回路がさらに対のFET電流ミラーおよび電流源と作動的に接続された少なくとも１つのFETを含む請求項８の装置。
【請求項１０】
帰還回路の少なくとも１つのFETがImを感知する請求項９の装置。
【請求項１１】
対の比率が制御信号に指数関数的に関係する電流対Ip 、Imを発生し、IpおよびImの１つが所望の最小値よりも大きく、かつ所望の最大値よりも小さい装置において、
制御信号およびバイアス電流Ibiasの関数として電流対Im 、Ipを発生し、バイアス電流Ibiasがブースト電流Iboostの関数であり、IpおよびImの合計がバイアス電流Ibiasに等しい差動増幅器手段と、
差動増幅器手段に接続され、帰還回路手段がImおよびIpの１つを感知し、ImおよびIpの１つが所望の最小値よりも小さくかつ所望の最大値よりも大きいとき、ブースト電流Iboostを発生する修正帰還回路手段とを含んでいる装置。
【請求項１２】
ブースト電流Iboostが所望の最小値および所望の最大値の１つとImおよびIpの１つとの間の差に比例する請求項１１の装置。
【請求項１３】
ブースト電流Iboostが所望の最小値およびIm間の差に比例する請求項１１の装置。
【請求項１４】
バイアス電流Ibiasがブースト電流Iboostおよび固定電流Ifixedの合計に等しい請求項１２の装置。
【請求項１５】
差動増幅器が固定電流Ifixedを発生する電流源を含む請求項１４の装置。
【請求項１６】
動増幅器がさらに一対のBJTを含み、各BJTがベースを含み、制御信号がBJTのベースに接続される請求項１５の装置。
【請求項１７】
さらに差動増幅器に作動的に接続された一対のFET電流ミラーを含んでいる請求項１６の装置。
【請求項１８】
ブースト電流Iboostが所望の最小電流値IbleedおよびIm間の差に比例し、帰還回路が所望の最小電流値Ibleedに等しい電流を発生することが可能な電流源を含む請求項１７の装置。
【請求項１９】
帰還回路がさらに対のFET電流ミラーおよび電流源と作動的に接続された少なくとも１つのFETを含む請求項１８の装置。
【請求項２０】
帰還回路の少なくとも１つのFETがImを感知する請求項１９の装置。
【請求項２１】
制御信号が電圧制御信号である請求項２０の装置。
【請求項２２】
ブースト電流Iboostが、所望の最小電流値IbleedおよびImの差の定数ｋ倍に等しい請求項２０の装置。
【請求項２３】
定数kが略100である請求項２２の装置。
【請求項２４】
対の比率が制御信号に指数関数的に関係する電流対Ip 、Imを発生し、IpおよびImの１つが所望の最小値よりも大きく、かつ所望の最大値よりも小さい方法において、
ａ．制御信号を入力し、
ｂ．制御信号およびバイアス電流Ibiasの関数として電流対Im 、Ipを発生し、バイアス電流Ibiasがブースト電流Iboostの関数であり、IpおよびImの合計はバイアス電流Ibiasに等しく、
ｃ．ImおよびIpの1つを感知し、
ｄ．ImおよびIpの１つが所望の最小値よりも小さくかつ所望の最大値よりも大きいとき、ブースト電流Iboostを発生するステップを含む方法。
【請求項２５】
ブースト電流Iboostが所望の最小値および所望の最大値の１つとImおよびIpの１つとの間の差に比例する請求項２４の方法。
【請求項２６】
ステップdのブースト電流Iboostが所望の最小値およびIm間の差に比例する請求項24の方法。
【請求項２７】
バイアス電流Ibiasがブースト電流Iboostおよび固定電流Ifixedの合計に等しい請求項26の方法。
【請求項２８】
制御信号が電圧制御信号である請求項２７の方法。
【請求項２９】
IbleedおよびImの差の定数ｋ倍に等しいブースト電流Iboostを設定することを含む請求項２８の方法。
【請求項３０】
定数ｋが略100であり、
ａ．Imを所望の最小電流値Ibleedと比較し、
ｂ．Imが所望の最小電流値Ibleedに等しいか大きいときブースト電流Iboostをゼロに設定し、
ｃ．Imが所望の最小電流値Ibleedよりも小さいとき所望の最小電流値IbleedとImの差に比例したブースト電流Iboostを設定するステップを含む請求項２９の方法。
【外国語明細書】
2010136377000001.pdf